【手続補正書】
【提出日】平成17年8月4日(2005.8.4)
【手続補正１】
【補正対象書類名】明細書
【補正対象項目名】特許請求の範囲
【補正方法】変更
【補正の内容】
【特許請求の範囲】
【請求項１】  ａ) （工程１）
縮合剤または活性剤の存在下で、そして必要な場合にアルコールの存在下で、式（II）の三価のメチル燐化合物を式（III）の不飽和誘導体と反応させて付加物（IV）を得、
【化１】
2001515084.tif 000001
［式中、Ｒ1およびＲ2は、互いに独立して置換されたかもしくは置換されていない（Ｃ1〜Ｃ18）アルコキシ、ベンジルオキシもしくはフェノキシ（これらは置換されていてもよい）であるか、またはＲ1およびＲ2基の一つはヒドロキシルであり、そしてＲ*は水素または（Ｃ1〜Ｃ4）−アルキルである］
ｂ) （工程２）
付加物（IV）は、必要な場合に式（IV′）
【化２】
2001515084.tif 000002
（式中、ＺはＯＨ、Ｒ1またはＲ2である）のアルデヒド（Ｒ*＝Ｈ）もしくはケトン（Ｒ*＝アルキル）またはその塩に加水分解した後に、必要な場合に塩化アンモニウムの存在下で、アンモニア／塩化アンモニウムおよびシアン化ナトリウムを用いて、またはその代わりにアンモニアおよびシアン化水素酸の混合物を用いて、もしくはアンモニアおよびシアン化水素酸の塩を用いて、ストレッカー合成の条件下で反応させて式（Ｖ）のα−アミノニトリルまたはその塩を得、
【化３】
2001515084.tif 000003
［式（IV′）および（Ｖ）中では、Ｒ*基は水素または（Ｃ1〜Ｃ4）−アルキルであり、そしてＺは式（IV′）中に定義したとおりか、またはＯＨである］、そして
ｃ) （工程３）
式（Ｖ）の化合物を、酸性または塩基性条件下で加水分解し、式（Ｉ）の化合物またはその塩を得る
ことからなる、式（Ｉ）
【化４】
2001515084.tif 000004
（式中、Ｒ*は、水素または（Ｃ1〜Ｃ4）−アルキルである）の化合物、またはその酸もしくは塩基との塩の製造法。
【請求項２】  Ｒ1およびＲ2は、互いに独立して、（Ｃ1〜Ｃ6）アルコキシ、（Ｃ1〜Ｃ6）ハロアルコキシ、ベンジルオキシまたはフェノキシ［最後の二つの基はそれぞれ、未置換であるか、またはハロゲン、アルキル、ハロアルキル、アルキルチオ、ニトロ、シアノ、アルキルスルホニルおよびハロアルキルスルホニル（各場合アルキル部分に１〜６個の炭素原子を有する）からなる群より選ばれる一個もしくはそれ以上の基によって置換されている］であるか、またはＲ1またはＲ2基の一つはヒドロキシルである、請求項１記載の方法。
【請求項３】  工程１で、化合物（II）として式（II−１）の化合物を、無水物Ａ2ＯおよびアルコールＲＯＨの存在下で式（III）の化合物と反応させて式（IV−１）の付加物（IV）を得る、請求項１または２記載の方法。
【化５】
2001515084.tif 000005
式中、ＸおよびＹ基のそれぞれは、互いに独立してＨもしくは（Ｃ1〜Ｃ18）アルキル（これは未置換であるか、または置換されている）、ベンジル、フェニル（ここで前記二つの基は、それぞれ未置換であるかまたは置換されている）であり、そしてＡはアシル基であり、Ｒは（Ｃ1〜Ｃ18）アルキル（これは未置換であるか、または置換されている）、ベンジル、フェニル（ここで前記二つの基は、それぞれ未置換であるかまたは置換されている）である。
【請求項４】  Ｘ、ＹおよびＲが、それぞれ（Ｃ1〜Ｃ4)アルキルであり、Ａが１〜６個の炭素原子を有するアルカンカルボン酸のアシル基であり、そしてＲ*が水素原子である、請求項３記載の方法。
【請求項５】  式（Ｖ−２）
【化６】
2001515084.tif 000006
［式中、Ｒ*は水素もしくは（Ｃ1〜Ｃ4）−アルキルである］の化合物またはその塩を、酸性または塩基性条件下で加水分解して式（Ｉ）の化合物またはその塩を得ることからなる、式（Ｉ）
【化７】
2001515084.tif 000007
［式中、Ｒ*は、水素または（Ｃ1〜Ｃ4）−アルキルである］の化合物またはその酸もしくは塩基との塩の製造法。
【請求項６】  式（IV*）
【化８】
2001515084.tif 000008
［式中、Ｒ*は請求項１に記載の式（Ｖ）に定義した通りである］の化合物から、必要な場合に式（IV′）
【化９】
2001515084.tif 000009
［式中、Ｚ＝ＯＨ、そしてＲ*は請求項５に記載の式（Ｖ−２）で定義したとおりである］のアルデヒドまたはケトンに加水分解により開環した後に、必要な場合に塩化アンモニウムの存在下で、アンモニア／塩化アンモニウムおよびシアン化ナトリウムを用いて、またはその代わりにアンモニアおよびシアン化水素酸の混合物を用いて、もしくはアンモニアおよびシアン化水素酸の塩を用いて、ストレッカー合成の条件下で反応させて式（Ｖ−２）のα−アミノニトリルまたはその塩を得ることによって式（Ｖ−２）の化合物またはその塩を製造する、請求項５記載の方法。
【請求項７】  式（IV−１）
【化１０】
2001515084.tif 000010
［式中、Ｘ、ＡおよびＲは、請求項３で定義した通りであり、そしてＲ*は請求項１に記載の式（Ｖ）で定義した通りである］の化合物を、必要な場合に式（IV′）
【化１１】
2001515084.tif 000011
［式中、Ｚ＝ＯＨまたはＯＸ（Ｘは式（IV−１）に定義した通りである）であり、そしてＲ*は式（Ｖ）に定義した通りである］のアルデヒドまたはケトンに、加水分解した後に、必要な場合に塩化アンモニウムの存在下で、アンモニア／塩化アンモニウムおよびシアン化ナトリウムを用いて、またはその代わりにアンモニアおよびシアン化水素酸の混合物を用いて、もしくはアンモニアおよびシアン化水素酸の塩を用いて、ストレッカー合成の条件下で反応させて、式（Ｖ）のα−アミノニトリルまたはその塩を得ることからなる、式（Ｖ）
【化１２】
2001515084.tif 000012
（式中、ＺおよびＲ*は、請求項１の工程２に定義した通りである）の化合物またはその塩の製造法。
【請求項８】  式（Ｖ−２）
【化１３】
2001515084.tif 000013
［式中、Ｒ*はＨまたは（Ｃ1〜Ｃ4）−アルキルである］の化合物またはその酸もしくは塩基との塩。
【請求項９】  式（IV*）
【化１４】
2001515084.tif 000014
［式中、Ｒ*は水素または（Ｃ1〜Ｃ4）−アルキルである］の化合物。
【請求項１０】  式（II）の三価のメチル燐化合物を、縮合剤または活性剤の存在下で式（III）の不飽和誘導体と反応させて式（IV*）の１,２−オキサ−４−ホスホレンを得る、請求項９に記載した式（IV*）の化合物の製造法。
【化１５】
2001515084.tif 000015
式（II）および（III）中、Ｒ1およびＲ2は請求項１で定義した通りであり、そしてＲ*は式（IV*）で定義した通りである。
【請求項１１】  式（IV−１）
【化１６】
2001515084.tif 000016
［式中、Ｘ、ＡおよびＲは請求項３に定義した通りであり、そしてＲ*はＨまたは（Ｃ1〜Ｃ4）−アルキルである］の化合物またはその塩。
【請求項１２】  無水物Ａ2ＯおよびアルコールＲＯＨの存在下で、式（II−１）の化合物を式（III）の化合物と反応させて式（IV−１）の付加物またはその塩を得る、請求項１１に記載した式（IV−１）の化合物またはその塩の製造法。
【化１７】
2001515084.tif 000017
式中、基ＸおよびＹは、それぞれ互いに独立して、Ｈもしくは（Ｃ1〜Ｃ18）アルキル（これは未置換であるかまたは置換されている）、ベンジルまたはフェニル（ここで前記二つの基は、それぞれ未置換であるかまたは置換されている）であり、Ａはアシル基であり、Ｒは（Ｃ1〜Ｃ18）アルキル（これは未置換であるかまたは置換されている）、ベンジルまたはフェニル（ここで前記二つの基は、それぞれ未置換であるかまたは置換されている）である。
【請求項１３】  最も低いモルを有する出発成分（II−１）または（III）を基準にして、５０から１５０モル％の無水物Ａ2Ｏおよび５０〜２００モル％のアルコールＲＯＨを用いる、請求項１２記載の方法。
【請求項１４】  式（IV−１）
【化１８】
2001515084.tif 000018
［式中、Ｒ*は水素または（Ｃ1〜Ｃ4）−アルキルであり、
基ＸおよびＹは、それぞれ互いに独立して、Ｈもしくは（Ｃ1〜Ｃ18）アルキル（これは未置換であるかまたは置換されている）、ベンジルまたはフェニル（前記二つの基はそれぞれ未置換であるかまたは置換されている）であり、
Ａはアシル基であり、
Ｒは（Ｃ1〜Ｃ18）アルキル（これは未置換であるかまたは置換されている）、ベンジルまたはフェニル（ここで前記二つの基はそれぞれ未置換であるかまたは置換されている）である］
の化合物を，必要な場合に式（IV′）
【化１９】
2001515084.tif 000019
（式中、ＺはＯＨまたはＯＸである）のアルデヒド（Ｒ*＝Ｈ）もしくはケトン（Ｒ*＝アルキル）またはその塩に加水分解した後で、必要な場合に塩化アンモニウムの存在下で、アンモニア／塩化アンモニウムおよびシアン化ナトリウムを用いて、またはその代わりにアンモニアおよびシアン化水素酸の混合物、もしくはアンモニアおよびシアン化水素酸の塩を用いて、ストレッカー合成の条件下で反応させて、式（Ｖ）のα−アミノニトリルまたはその塩を得、
【化２０】
2001515084.tif 000020
［式（IV′）および（Ｖ）中では、Ｒ*基は式（Ｉ）で定義した通りであり、Ｘは式（IV−１）で定義した通りであり、そして式（Ｖ）中のＺは式（IV′）で定義した通りであるかまたはＯＨである］、そして
式（Ｖ）の化合物またはその塩を、酸性または塩基性条件下で加水分解して式（Ｉ）の化合物またはその塩を得ることからなる、式（Ｉ）
【化２１】
2001515084.tif 000021
［式中、Ｒ*は水素または（Ｃ1〜Ｃ4）−アルキルである］の化合物またはその酸もしくは塩基との塩の製造法。